(57)【要約】  建築物内の装置またはシステムを効率よく制御することができる入退室管理装置を提供する。入退室管理装置は、建築物に設けられた無線通信装置が携帯端末から当該携帯端末の識別情報と当該携帯端末の所有者の意思を示す意思情報とを受信した際に、当該識別情報と当該意思情報とに基づいて、前記建築物の利用者に関する情報を記憶した記憶装置に対する制御信号または前記建築物の設備に対する制御信号を生成する制御信号生成部、を備えた。このため、建築物内の装置またはシステムを効率よく制御することができる。
2019058427.tif 000002
【特許請求の範囲】
【請求項１】
建築物に設けられた無線通信装置が携帯端末から当該携帯端末の識別情報と当該携帯端末の所有者の意思を示す意思情報とを受信した際に、当該識別情報と当該意思情報とに基づいて、前記建築物の利用者に関する情報を記憶した記憶装置に対する制御信号または前記建築物の設備に対する制御信号を生成する制御信号生成部、
を備えた入退室管理装置。
【請求項２】
前記制御信号生成部は、無線通信装置が携帯端末から当該携帯端末の識別情報と当該携帯端末の所有者の今後の予定を示す意思情報とを受信した際に、当該識別情報と当該意思情報とに基づいて、前記記憶装置に記憶された情報に対する更新を指示する制御信号を生成する請求項１に記載の入退室管理装置。
【請求項３】
前記制御信号生成部は、当該携帯端末の所有者の今後の予定を示す意思情報が帰宅を示す情報の場合に、当該無線通信装置に対応した領域に設けられた空調装置と照明とをオフにすることを指示する制御信号を生成する請求項２に記載の入退室管理装置。
【請求項４】
前記制御信号生成部は、無線通信装置が携帯端末から当該携帯端末の識別情報と当該携帯端末の所有者の行先を示す意思情報とを受信した際に、当該行先が存在する階と当該無線通信装置が存在する階とが異なる場合に、当該所有者が当該行先にたどり着くために利用し得るエレベーターの情報の表示を当該携帯端末に指示する制御信号を生成する請求項１に記載の入退室管理装置。
【請求項５】
前記制御信号生成部は、当該エレベーターに対して当該無線通信装置が存在する階の呼びの登録を指示する制御信号を生成する請求項４に記載の入退室管理装置。
【請求項６】
前記制御信号生成部は、無線通信装置が携帯端末から当該携帯端末の識別情報と当該携帯端末の所有者の行先を示す意思情報とを受信した際に、当該無線通信装置が存在する階の地図情報と当該行先までの経路の情報との表示を当該携帯端末に指示する制御信号を生成する請求項１に記載の入退室管理装置。
【請求項７】
前記制御信号生成部は、無線通信装置が携帯端末から当該携帯端末の識別情報と当該携帯端末の所有者の行先を示す意思情報とを受信した後、当該行先が存在する領域に対応した無線通信装置が当該携帯端末から当該識別情報を受信した場合に、当該領域の出入口に設けられたドアの解錠を指示する制御信号を生成する請求項１に記載の入退室管理装置。
【請求項８】
前記制御信号生成部は、無線通信装置が携帯端末から当該携帯端末の識別情報と当該携帯端末の所有者の面談者を示す意思情報とを受信した際に、前記記憶装置に記憶された情報に基づいて当該面談者が存在する場所を特定し、当該場所を示す情報の表示を当該携帯端末に指示する制御信号を生成する請求項１に記載の入退室管理装置。
【請求項９】
前記制御信号生成部は、無線通信装置が携帯端末から当該携帯端末の識別情報と当該携帯端末の所有者の面談者を示す意思情報とを受信した際に、当該面談者が所有する携帯端末から識別情報を受信している無線通信装置の通信領域を当該面談者が存在する場所として特定し、当該場所を示す情報の表示を当該携帯端末に指示する制御信号を生成する請求項１に記載の入退室管理装置。
【請求項１０】
前記制御信号生成部は、無線通信装置が携帯端末から当該携帯端末の識別情報と当該携帯端末の所有者の面談者を示す意思情報とを受信し、当該識別情報が来訪者の識別情報である場合に、当該来訪者が承認されるまで、当該携帯端末に対する制御信号を生成しない請求項１に記載の入退室管理装置。
【請求項１１】
前記制御信号生成部は、当該来訪者が承認された際に、当該来訪者の行先の情報の表示または当該来訪者の面談者の情報の表示を当該来訪者の携帯端末に指示する制御信号を生成する請求項１０に記載の入退室管理装置。
【請求項１２】
前記制御信号生成部は、当該来訪者が承認された際に、前記建築物の地図情報の表示を当該携帯端末に指示する制御信号を生成する請求項１１に記載の入退室管理装置。
【請求項１３】
建築物に設けられた設備と、
前記建築物に設けられた無線通信装置と、
前記利用者に関する情報を記憶し、外部からの制御信号に基づいて情報を更新する記憶装置と、
外部からの制御信号に基づいて前記設備の動作を制御するコントローラと、
前記無線通信装置が携帯端末から当該携帯端末の識別情報と当該携帯端末の所有者の意思を示す意思情報とを受信した際に、当該識別情報と当該意思情報とに基づいて、前記記憶装置に対する制御信号または前記設備に対する制御信号を生成する請求項１から請求項１２のいずれか１項に記載の入退室管理装置と、
を備えた入退室管理システム。
【発明の詳細な説明】
【技術分野】
【０００１】
この発明は、入退室管理装置および入退室管理システムに関する。
【背景技術】
【０００２】
例えば、特許文献１は、入退室管理システムを開示する。当該入退室管理システムによれば、携帯端末を利用してドアの開閉を制御することができる。その結果、携帯端末の所有者は、出入口を通過することができる。
【先行技術文献】
【特許文献】
【０００３】
【特許文献１】日本特開２０１１−１８４９９１号公報
【発明の概要】
【発明が解決しようとする課題】
【０００４】
しかしながら、特許文献１に記載の入退室管理システムにおいては、携帯端末の所有者が出入口を通過する目的を把握することができない。このため、建築物内の装置またはシステムを効率よく制御することができない。【０００５】
この発明は、上述の課題を解決するためになされた。この発明の目的は、建築物内の装置またはシステムを効率よく制御することができる入退室管理装置および入退室管理システムを提供することである。
【課題を解決するための手段】
【０００６】
この発明に係る入退室管理装置は、建築物に設けられた無線通信装置が携帯端末から当該携帯端末の識別情報と当該携帯端末の所有者の意思を示す意思情報とを受信した際に、当該識別情報と当該意思情報とに基づいて、前記建築物の利用者に関する情報を記憶した記憶装置に対する制御信号または前記建築物の設備に対する制御信号を生成する制御信号生成部、を備えた。【０００７】
この発明に係る入退室管理システムは、建築物に設けられた設備と、前記建築物に設けられた無線通信装置と、前記利用者に関する情報を記憶し、外部からの制御信号に基づいて情報を更新する記憶装置と、外部からの制御信号に基づいて前記設備の動作を制御するコントローラと、前記無線通信装置が携帯端末から当該携帯端末の識別情報と当該携帯端末の所有者の意思を示す意思情報とを受信した際に、当該識別情報と当該意思情報とに基づいて、前記記憶装置に対する制御信号または前記設備に対する制御信号を生成する入退室管理装置と、を備えた。
【発明の効果】
【０００８】
これらの発明によれば、入退室管理装置は、携帯端末の識別情報と携帯端末の所有者の意思を示す意思情報とに基づいて制御信号を生成する。このため、建築物内の装置またはシステムを効率よく制御することができる。
【図面の簡単な説明】
【０００９】
【図１】この発明の実態の形態１における入退室管理システムが適用される建築物の１階の平面図である。
【図２】この発明の実態の形態１における入退室管理システムが適用される建築物の２階の平面図である。
【図３】この発明の実態の形態１における入退室管理システムの構成図である。
【図４】この発明の実態の形態１における入退室管理システムによる来訪者の識別情報の設定方法の第１例を説明するための図である。
【図５】この発明の実態の形態１における入退室管理システムによる来訪者の識別情報の設定方法の第２例を説明するための図である。
【図６】この発明の実態の形態１における入退室管理システムの携帯端末の入力画面を示す図である。
【図７】この発明の実態の形態１における入退室管理システムの携帯端末の入力画面を示す図である。
【図８】この発明の実態の形態１における入退室管理システムの携帯端末の出力画面を示す図である。
【図９】この発明の実態の形態１における入退室管理システムの携帯端末の入力画面を示す図である。
【図１０】この発明の実態の形態１における入退室管理システムの携帯端末の出力画面を示す図である。
【図１１】この発明の実態の形態１における入退室管理システムの携帯端末の出力画面を示す図である。
【図１２】この発明の実態の形態１における入退室管理システムの入退室管理装置の動作の概要を説明するためのフローチャートである。
【図１３】この発明の実態の形態１における入退室管理システムの入退室管理装置のハードウェア構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化または省略する。
【００１１】
実施の形態１．
図１はこの発明の実態の形態１における入退室管理システムが適用される建築物の１階の平面図である。図２はこの発明の実態の形態１における入退室管理システムが適用される建築物の２階の平面図である。
【００１２】
図１に示されるように、第１領域１は、建築物の一側かつ奥側に設けられる。第２領域２は、建築物の他側かつ奥側に設けられる。トイレ３は、建築物の一側かつ手前側に設けられる。
【００１３】
主出入口４は、建築物の手前側の中央に設けられる。第１出入口５は、第１領域１の手前側に設けられる。第２出入口６は、第２領域２の手前側に設けられる。
【００１４】
主ドア７は、主出入口４に設けられる。第１ドア８は、第１出入口５に設けられる。第２ドア９は、第２出入口６に設けられる。
【００１５】
主電気錠１０は、主ドア７に設けられる。第１電気錠１１は、第１ドア８に設けられる。第２ドア９は、第２出入口６に設けられる。
【００１６】
第１空調装置１３は、第１領域１に設けられる。第２空調装置１４は、第２領域２に設けられる。
【００１７】
第１照明１５は、第１領域１に設けられる。第２照明１６は、第２領域２に設けられる。
【００１８】
２つの第１エレベーター１７は、建築物の一側かつ第１領域１の手前側に設けられる。第２エレベーター１８は、建築物の他側かつ第２領域２の手前側に設けられる。
【００１９】
主外側無線通信装置１９は、主出入口４の近傍において建築物の外側に設けられる。例えば、主外側無線通信装置１９は、近距離無線通信を行い得る装置である。主内側無線通信装置２０は、主出入口４の近傍において建築物の内側に設けられる。例えば、主内側無線通信装置２０は、近距離無線通信よりも広い範囲に対して通信を行い得るビーコンである。
【００２０】
第１外側無線通信装置２１は、第１出入口５の近傍において第１領域１の外側に設けられる。例えば、第１外側無線通信装置２１は、近距離無線通信を行い得る装置である。第１内側無線通信装置２２は、第１出入口５の近傍において第１領域１の内側に設けられる。例えば、第１内側無線通信装置２２は、近距離無線通信よりも広い範囲に対して通信を行い得るビーコンである。
【００２１】
第２外側無線通信装置２３は、第２出入口６の近傍において第２領域２の外側に設けられる。例えば、第２外側無線通信装置２３は、近距離無線通信を行い得る装置である。第２内側無線通信装置２４は、第２出入口６の近傍において第２領域２の内側に設けられる。例えば、第２内側無線通信装置２４は、近距離無線通信よりも広い範囲に対して通信を行い得るビーコンである。
【００２２】
第１乗場呼び登録装置２５は、２つの第１エレベーター１７の乗場に設けられる。第２乗場呼び登録装置２６は、第２エレベーター１８の乗場に設けられる。
【００２３】
図２に示されるように、第３領域２７は、建築物の奥側の中央に設けられる。
【００２４】
第３出入口２８は、第３領域２７の一側に設けられる。
【００２５】
第３ドア２９は、第３出入口２８に設けられる。
【００２６】
第３電気錠３０は、第３ドア２９に設けられる。
【００２７】
第３空調装置３１は、第３領域２７に設けられる。
【００２８】
第３照明３２は、第３領域２７に設けられる。
【００２９】
第３外側無線通信装置３３は、第３出入口２８の近傍において第３領域２７の外側に設けられる。例えば、第３外側無線通信装置３３は、近距離無線通信を行い得る装置である。第３内側無線通信装置３４は、第３出入口２８の近傍において第３領域２７の内側に設けられる。例えば、第３内側無線通信装置３４は、近距離無線通信よりも広い範囲に対して通信を行い得るビーコンである。
【００３０】
図１において、記憶装置３５は、建築物の設備の制御に必要な情報を記憶する。例えば、記憶装置３５は、各領域にたどり着くことができるエレベーターの情報を記憶する。
なお、建築物の設備とは、ドアをロック及びアンロックするための電気錠、エレベーター、空調装置、照明などである。また、本実施の形態においては、後述する勤怠管理の情報および在室管理の情報が記録されている記憶装置３５も建築物の設備に該当するものとする。
【００３１】
記憶装置３５は、建築物の利用者に関する情報を記憶する。例えば、記憶装置３５は、各領域への進入の権限を有する利用者の識別情報を記憶する。例えば、記憶装置３５は、建築物の利用者の勤怠管理の情報を記憶する。例えば、記憶装置３５は、建築物の利用者の在室管理の情報を記憶する。
【００３２】
建築物の利用者とは、建築物に入居している会社の従業員または外部から建築物を訪問する来訪者のことである。
【００３３】
利用者の識別情報とは、後述する携帯端末の所持者を特定するための情報である。識別方法の生成の方法については後述する。
【００３４】
勤怠管理の情報とは、例えば、各利用者が何月何日の何時何分に出勤し、何時何分から何時何分まで外出し、何時何分に帰宅したことを管理者が把握するための情報である。
【００３５】
在室管理の情報とは、各利用者が何月何日の何時何分から何時何分までどの部屋に在室していたかを記録した情報である。さらに過去の情報だけではなく、現在、各利用者が建物内のどの部屋にいるかをリアルタイムで更新して記録している情報である。
【００３６】
入退室管理装置３６は、建築物の利用者の入退室を管理し得るように設けられる。例えば、入退室管理装置３６は、記憶装置３５に記憶された情報を適宜更新するように設けられる。なお、記憶装置３５と入退室管理装置３６とは、建築物のサーバルームなどに設置される。
【００３７】
例えば、携帯端末３７は、建築物の利用者に所有される。本実施の形態では、携帯端末３７が建築物の来訪者に所有されている場合について説明するが、携帯端末３７は建築物に入居している会社の従業員に所有されていてもよい。例えば、携帯端末３７は、スマートフォンまたはタブレット端末である。
【００３８】
携帯端末３７の所有者が当該携帯端末３７を主外側無線通信装置１９にかざすと、主外側無線通信装置１９は、携帯端末３７から当該携帯端末３７の識別情報を受信する。
【００３９】
入退室管理装置３６は、当該識別情報を認証した場合に主ドア７の解錠を指示する制御信号を生成する。主電気錠１０は、当該制御信号に基づいて解かれる。その結果、当該所有者は、主出入口４を通過して建築物の内部に進入することができる。
【００４０】
この際、入退室管理装置３６は、記憶装置３５に記憶された情報に対する更新を指示する制御信号を生成する。記憶装置３５は、当該制御信号に基づいて当該利用者に関する情報を更新する。具体的には、記憶装置３５は、携帯端末３７の所有者が建築物の内部に存在することを示す情報を識別情報に対応付けて記憶する。
【００４１】
携帯端末３７の所有者が建築物の外部に退出する際、当該所有者が主出入口４に近づくと、主内側無線通信装置２０は、携帯端末３７から識別情報を受信する。
【００４２】
入退室管理装置３６は、当該識別情報を認証した場合に主ドア７の解錠を指示する制御信号を生成する。主電気錠１０は、当該制御信号に基づいて解かれる。その結果、当該所有者は、主出入口４を通過して建築物の外部に退出することができる。
【００４３】
この際、入退室管理装置３６は、記憶装置３５に記憶された情報に対する更新を指示する制御信号を生成する。記憶装置３５は、当該制御信号に基づいて当該利用者に関する情報を更新する。具体的には、記憶装置３５は、当該利用者が建築物の内部に存在しないことを示す情報を識別情報に対応付けて記憶する。
【００４４】
第１領域１と第２領域２と第３領域２７においても、同様の制御が行われる。その結果、建築物に対する入退室管理が適切に行われる。
【００４５】
携帯端末３７の所有者は、当該携帯端末３７により意思を入力し得る。当該所有者が当該携帯端末３７により意思を入力した状態で当該携帯端末３７がいずれかの無線通信装置と通信すると、当該無線通信装置は、携帯端末３７から当該意思を示す意思情報を受信する。意思情報とは、図６から図９に基づいて後述するように、携帯端末３７の所持者が入力する情報である。例えば、意思情報は、所持者の今後の予定、行き先、面談者などに関する情報である。
【００４６】
入退室管理装置３６は、当該意思情報に基づいて制御信号を生成する。例えば、入退室管理装置３６は、当該意思情報に基づいて、記憶装置３５に記憶された情報に対する更新を指示する制御信号を生成する。その結果、記憶装置３５に記憶された情報が更新される。例えば、入退室管理装置３６は、当該意思情報に基づいて、建築物の設備に対する制御信号を生成する。その結果、当該設備の動作が変わる。
【００４７】
例えば、図１と図２とにおいて、携帯端末３７の所有者が当該携帯端末３７により行先を示す意思として第３領域２７を行先とする旨の情報を入力した際、入退室管理装置３６は、当該所有者が第３領域２７にたどり着くために利用し得るエレベーターの情報の表示を当該携帯端末３７に指示する制御信号を生成する。
【００４８】
図２に示されるように、当該所有者は、２つの第１エレベーター１７のうちのいずれか１つを利用すれば、第３出入口２８を通過して第３領域２７にたどり着くことができる。これに対し、当該所有者は、第２エレベーター１８を利用しても第３領域２７にたどり着くことができない。
【００４９】
この場合、入退室管理装置３６は、第１エレベーター１７の情報の表示を当該携帯端末３７に指示する制御信号を生成する。携帯端末３７は、当該制御信号に基づいて第１エレベーター１７の情報を表示する。その結果、所有者は、第１エレベーター１７を利用すればよいことを把握する。
【００５０】
次に、図３を用いて、入退室管理システムの要部を説明する。
図３はこの発明の実態の形態１における入退室管理システムの構成図である。
【００５１】
ドア用コントローラ３８は、主電気錠１０と第１電気錠１１と第２電気錠１２と第３電気錠３０との動作を制御し得るように設けられる。
【００５２】
空調装置用コントローラ３９は、第１空調装置１３と第２空調装置１４と第３空調装置３１との動作を制御し得るように設けられる。
【００５３】
照明用コントローラ４０は、第１照明１５と第２照明１６と第３照明３２との動作を制御し得るように設けられる。
【００５４】
第１制御盤４１は、２つの第１エレベーター１７の各々の動作を制御し得るように設けられる。
【００５５】
第２制御盤４２は、第２エレベーター１８の動作を制御し得るように設けられる。
【００５６】
群管理盤４３は、第１制御盤４１の動作を制御し得るように設けられる。
【００５７】
第１エレベーター用コントローラ４４は、群管理盤４３の動作を制御し得るように設けられる。
【００５８】
第２エレベーター用コントローラ４５は、第２制御盤４２の動作を制御し得るように設けられる。
【００５９】
通信装置４６は、インターネット網等を介して外部と通信し得るように設けられる。
【００６０】
図３に示されるように、入退室管理装置３６は、制御信号生成部３６ａを備える。制御信号生成部３６ａは、いずれかの無線通信装置が携帯端末３７から識別情報と意思情報とを受信した際に、当該識別情報と当該意思情報とに基づいて各種の制御信号を生成する。
【００６１】
例えば、制御信号がいずれかのドアに関する信号の場合、入退室管理装置３６は、当該制御信号をドア用コントローラ３８に送信する。ドア用コントローラ３８は、当該制御信号に基づいて、対象の電気錠の動作を制御する。
【００６２】
例えば、制御信号がいずれかの空調装置に関する信号の場合、入退室管理装置３６は、当該制御信号を空調装置用コントローラ３９に送信する。空調装置用コントローラ３９は、当該制御信号に基づいて、対象の空調装置の動作を制御する。
【００６３】
例えば、制御信号がいずれかの照明に関する信号の場合、入退室管理装置３６は、当該制御信号を照明用コントローラ４０に送信する。照明用コントローラ４０は、当該制御信号に基づいて、対象の照明の動作を制御する。
【００６４】
例えば、制御信号がいずれかの第１エレベーター１７に関する信号の場合、入退室管理装置３６は、当該制御信号を第１エレベーター用コントローラ４４に送信する。第１エレベーター用コントローラ４４は、当該制御信号を群管理盤４３に送信する。群管理盤４３は、当該制御信号を対象の第１制御盤４１に送信する。当該第１制御盤４１は、当該制御信号に基づいて対象の第１エレベーター１７の動作を制御する。
【００６５】
例えば、制御信号が第２エレベーター１８に関する信号の場合、入退室管理装置３６は、当該制御信号を第２エレベーター用コントローラ４５に送信する。第２エレベーター用コントローラ４５は、当該制御信号を第２制御盤４２に送信する。第２制御盤４２は、当該制御信号に基づいて第２エレベーター１８の動作を制御する。
【００６６】
次に、図４を用いて、来訪者の識別情報の設定方法の第１例を説明する。
図４はこの発明の実態の形態１における入退室管理システムによる来訪者の識別情報の設定方法の第１例を説明するための図である。
【００６７】
図４に示されるように、外部サーバ４７は、アプリケーションの情報と来訪者の通行権限の情報と建築物の地図情報とを記憶する。
【００６８】
携帯端末３７は、無線通信部３７ａとアプリケーション情報記憶部３７ｂと識別情報記憶部３７ｃと表示部３７ｄとを備える。
【００６９】
来訪者は、外部サーバ４７からキャリア網等を介してアプリケーションの情報を携帯端末３７にダウンロードする。この際、携帯端末３７は、無線通信部３７ａを用いて外部サーバ４７との通信を確立する。当該アプリケーションの情報は、アプリケーション情報記憶部３７ｂに記憶される。
なお、キャリア網とは、携帯電話の通信サービスを提供している会社（キャリア）が独自に管理しているネットワークのことである。携帯端末３７がこのようなキャリアにより提供されているＳＩＭ（Ｓｕｂｓｃｒｉｂｅｒ  Ｉｄｅｎｔｉｔｙ  Ｍｏｄｕｌｅ）カードを利用して無線通信を行う場合、キャリア網を経由してインターネット網にアクセスすることになる。なお、携帯端末３７がＷｉ−Ｆｉ（Ｗｉｒｅｌｅｓｓ  Ｆｉｄｅｌｉｔｙ）を使って無線通信する場合は、キャリア網を経由せずにインターネット網にアクセスする。
【００７０】
携帯端末３７において、アプリケーションは、当該携帯端末３７の識別情報を生成する。例えば、アプリケーションは、当該携帯端末３７に固有の情報を識別情報として当該携帯端末３７のマックアドレスまたはＳＩＭカードのＩＤに基づく情報を識別情報とする。または、携帯端末３７の識別情報は、外部サーバ４７の側で携帯端末３７の所持者の個人情報に基づいて生成されてもよい。外部サーバ４７で生成された識別情報は、携帯端末３７に通知される。
なお、所持者の情報とは、所持者を特定するための個人情報であって、所持者が建築物に入居している会社の従業員である場合はその会社の社員番号などである。
当該識別情報は、識別情報記憶部３７ｃに記憶される。
【００７１】
来訪者は、携帯端末３７のアプリケーションを用いて承認依頼の情報を送信する。例えば、来訪者は、携帯端末３７のアプリケーションを用いて建築物を指定して承認依頼の情報を送信する。例えば、来訪者は、携帯端末３７のアプリケーションを用いて建築物の利用者を指定して承認依頼の情報を送信する。外部サーバ４７は、当該承認依頼の情報を受信する。
【００７２】
建築物の管理人は、外部サーバ４７にアクセスして建築物が指定された承認依頼を承認するか否かを決定する。
【００７３】
建築物の利用者は、外部サーバ４７にアクセスして当該利用者が指定された承認依頼を承認するか否かを決定する。
【００７４】
通信装置４６は、ＶＰＮ（Ｖｅｒｔｕａｌ  Ｐｒｉｖａｔｅ  Ｎｅｔｗｏｒｋ）等を介して承認済みの来訪者の識別情報を自動で受信する。当該利用者が指定された承認依頼に対して承認済みとなった場合、通信装置４６は、ＶＰＮ（Ｖｅｒｔｕａｌ  Ｐｒｉｖａｔｅ  Ｎｅｔｗｏｒｋ）等を介して承認済みの来訪者の識別情報と当該利用者の情報とを自動で受信する。
【００７５】
記憶装置３５は、通信装置４６に受信された情報を自動で記憶する。その結果、建築物の側において、来訪者の識別情報が設定される。
【００７６】
次に、図５を用いて、来訪者の識別情報の設定方法の第２例を説明する。
図５はこの発明の実態の形態１における入退室管理システムによる来訪者の識別情報の設定方法の第２例を説明するための図である。
【００７７】
第１例においては、記憶装置３５は、通信装置４６に受信された情報を自動で記憶する。これに対し、第２例においては、記憶装置３５は、通信装置４６に受信された情報を自動で記憶しない。
【００７８】
第２例において、収集装置４８は、通信装置４６に受信された情報を一時的に記憶する。収集装置４８は、記憶装置３５と自動で通信しない。このため、第２例においては、管理人が収集装置４８に記憶された情報を手動で記憶装置３５に複写する。その結果、建築物の側において、来訪者の識別情報が設定される。
【００７９】
携帯端末３７の所持者が来訪者である場合の識別情報の設定方法について上述したが、携帯端末３７の所持者が建築物に入居している会社の従業員である場合の識別情報の設定方法について説明する。携帯端末３７の所持者が会社の従業員である場合、外部サーバ４７を利用せずに識別情報を設定できる。従業員は、建築物内のいずれかの無線通信装置を経由して、記憶装置３５に保存されているアプリケーションの情報をダウンロードし、アプリケーション情報記憶部３７ｂに記憶させる。
【００８０】
携帯端末３７において、アプリケーションは、当該携帯端末３７の識別情報を生成する。識別情報は、携帯端末３７に固有の情報又は所持者の個人情報に基づいて生成される。生成された識別情報は、識別情報記憶部３７ｃに記憶される。携帯端末３７は、建築物内のいずれかの無線通信装置と通信することにより、識別情報記憶部３７ｃに記憶された識別情報を送信する。当該識別情報は、記憶装置３５に記憶される。
【００８１】
次に、図６を用いて、意思に応じた制御の第１例を説明する。
図６はこの発明の実態の形態１における入退室管理システムの携帯端末の入力画面を示す図である。
【００８２】
例えば、利用者が第１領域１の内部から外部に退出する際、携帯端末３７は、今後の予定として、複数の選択肢の情報を表示する。例えば、携帯端末３７は、「すぐ戻る（標準）」と「外出」と「帰宅」とを表示する。
【００８３】
例えば、利用者が「すぐ戻る（標準）」の表示に触れた場合、携帯端末３７は、「すぐ戻る（標準）」に対応した情報を記憶する。利用者が第１出入口５に近づくと、第１内側無線通信装置２２は、携帯端末３７から識別情報と「すぐ戻る（標準）」に対応した情報とを受信する。この場合、入退室管理装置３６は、在室管理の情報の更新を指示する制御信号を生成しない。
【００８４】
例えば、利用者が「外出」の表示に触れた場合、携帯端末３７は、「外出」に対応した情報を記憶する。利用者が第１出入口５に近づくと、第１内側無線通信装置２２は、携帯端末３７から識別情報と「外出」に対応した情報を受信する。この場合、入退室管理装置３６は、在室管理の情報の更新を指示する制御信号を生成する。その結果、記憶装置３５は、識別情報に対応した利用者が外出したことを示す情報を記憶する。
【００８５】
例えば、利用者が「帰宅」の表示に触れた場合、携帯端末３７は、「帰宅」に対応した情報を記憶する。利用者が第１出入口５に近づくと、第１内側無線通信装置２２は、携帯端末３７から識別情報と「帰宅」に対応した情報を受信する。この場合、入退室管理装置３６は、在室管理の情報と勤怠管理の情報との更新を指示する制御信号を生成する。その結果、記憶装置３５は、識別情報に対応した利用者が帰宅したことを示す情報を記憶する。
【００８６】
なお、第１領域１に存在する利用者がいなくなった場合、入退室管理装置３６は、第１空調装置１３と第１照明１５とをオフにすることを指示する制御信号を生成する。その結果、第１空調装置１３と第１照明１５とはオフになる。
【００８７】
次に、図７と図８とを用いて、意思に応じた制御の第２例とを説明する。
図７はこの発明の実態の形態１における入退室管理システムの携帯端末の入力画面を示す図である。図８はこの発明の実態の形態１における入退室管理システムの携帯端末の出力画面を示す図である。
【００８８】
例えば、利用者が建築物の外部から内部に進入する際、携帯端末は、行先として、複数の選択肢の情報を表示する。例えば、携帯端末は、「第１領域」と「第２領域」と「トイレ」とを表示する。
【００８９】
利用者が選択肢の情報の表示に触れた場合、携帯端末３７は、当該選択肢に対応した情報を記憶する。利用者が主外側無線通信装置１９に携帯端末３７をかざすと、主外側無線通信装置１９は、携帯端末３７から識別情報と選択肢に対応した情報とを受信する。この場合、入退室管理装置３６は、１階の地図情報と選択肢に対応した行先までの経路の情報との表示を指示する制御信号を生成する。その結果、携帯端末３７は、１階の地図情報と当該経路の情報とを表示する。
【００９０】
例えば、利用者が「トイレ」の情報の表示に触れた場合、携帯端末３７は、「トイレ」に対応した情報を記憶する。利用者が主外側無線通信装置１９に携帯端末３７をかざすと、主外側無線通信装置１９は、携帯端末３７から識別情報と「トイレ」に対応した情報とを受信する。この場合、入退室管理装置３６は、１階の地図情報と「トイレ」までの経路の情報との表示を指示する制御信号を生成する。その結果、図８に示されるように、携帯端末３７は、１階の地図情報と「トイレ」までの経路の情報とを表示する。
【００９１】
次に、図９から図１１を用いて、意思に応じた制御の第３例を説明する。
図９はこの発明の実態の形態１における入退室管理システムの携帯端末の入力画面を示す図である。図１０と図１１とはこの発明の実態の形態１における入退室管理システムの携帯端末の出力画面を示す図である。
【００９２】
承認された来訪者は、アプリケーションを用いて建築物の地図情報を携帯端末３７に予めダウンロードする。
【００９３】
例えば、来訪者が建築物の外部から内部に進入する際、携帯端末３７は、行先として、複数の選択肢を表示する。例えば、携帯端末３７は、来訪者を事前に承認した利用者の情報を表示する。具体的には、携帯端末３７は、「Ａさん」と「Ｂさん」と「Ｃさん」との情報を表示する。
【００９４】
来訪者が選択肢の情報の表示に触れた場合、携帯端末３７は、当該選択肢に対応した情報を記憶する。来訪者が主外側無線通信装置１９に携帯端末３７をかざすと、主外側無線通信装置１９は、携帯端末３７から識別情報と選択肢に対応した情報とを受信する。この場合、入退室管理装置３６は、在室管理の情報を用いて選択肢に対応した利用者の位置を特定する。入退室管理装置３６は、当該利用者の位置までの経路の表示を指示する制御信号を生成する。その結果、携帯端末３７は、当該利用者の位置までの経路を表示する。
【００９５】
例えば、来訪者が「Ａさん」の情報の表示に触れた場合、携帯端末３７は、「Ａさん」に対応した情報を記憶する。来訪者が主外側無線通信装置１９に携帯端末３７をかざすと、主外側無線通信装置１９は、携帯端末３７から識別情報と「Ａさん」に対応した情報とを受信する。この場合、入退室管理装置３６は、在室管理の情報を用いて「Ａさん」の位置が第３領域２７であることを特定する。入退室管理装置３６は、第３領域２７までの経路の表示を指示する制御信号を生成する。入退室管理装置３６は、第１エレベーターに対して主外側無線通信装置１９が存在する１階の呼びの登録を指示する制御信号を生成する。
【００９６】
この際、図１０に示されるように、携帯端末３７は、「Ａさんは２階にいます」の情報と「第１エレベーターに乗って下さい」の情報とを表示する。
【００９７】
第１エレベーター１７のかごが入退室管理装置３６からの制御信号に基づいた呼びに応じて１階に到着した際、来訪者は、当該かごに乗り込む。
【００９８】
当該かごが２階に到着すると、携帯端末３７は、「Ａさんは第３領域にいます」の情報を表示する。
【００９９】
図６から図９においては、利用者の意思情報を入力するための入力画面の例が説明された。また、利用者がこれらの入力画面で任意の選択肢を予め選択した状態で携帯端末３７がいずれかの無線通信装置と通信する構成については上述された。しかし、携帯端末３７がいずれかの無線通信装置と１回目の通信を行ったタイミングで図６から図９の入力画面を携帯端末３７に表示させてもよい。この場合、利用者が入力画面で任意の選択肢を選択した後に携帯端末３７は無線通信装置と２回目の通信を行い、無線通信装置は利用者が選択した意思情報を受信する構成でもよい。
【０１００】
なお、前段落で携帯端末３７がいずれかの無線通信装置と１回目の通信を行ったタイミングで入力画面を携帯端末３７に表示する構成について説明したが、入力画面が表示されても利用者が意思情報を選択または入力しない場合も想定される。そのような場合、入力画面が表示されてから一定時間経過しても携帯端末３７が操作されない場合は、携帯端末３７自体を振動させる、スピーカーから音声を出す、光源を点滅させるなどして、利用者に入力を促すための報知を行ってもよい。
【０１０１】
また、入力画面が表示されてから一定時間経過しても携帯端末３７が操作されない場合、予め設定されたデフォルトの制御が選択されてもよい。例えば、複数の選択肢がある場合、最も選択される割合が高い選択肢が自動で選択されてもよい。例えば、一番上の選択肢が自動で選択されてもよい。
【０１０２】
次に、図１２を用いて、入退室管理装置３６の動作の概要を説明する。
図１２はこの発明の実態の形態１における入退室管理システムの入退室管理装置の動作の概要を説明するためのフローチャートである。
【０１０３】
ステップＳ１では、入退室管理装置３６は、いずれかの無線通信装置が識別情報と意思情報とを受信したか否かを判定する。ステップＳ１でいずれの無線通信装置も識別情報と意思情報とを受信していない場合、入退室管理装置３６は、ステップＳ１の動作を行う。ステップＳ１でいずれかの無線通信装置が識別情報と意思情報とを受信した場合、入退室管理装置３６は、ステップＳ２の動作を行う。
【０１０４】
ステップＳ２では、入退室管理装置３６は、当該識別情報を認証するか否かを判定する。ステップＳ２で当該識別情報が認証されない場合、入退室管理装置３６は、ステップＳ１の動作を行う。ステップＳ２で当該識別情報が認証された場合、入退室管理装置３６は、ステップＳ３の動作を行う。
【０１０５】
ステップＳ３では、入退室管理装置３６は、当該識別情報と当該意思情報とに基づいて制御信号を生成する。その後、入退室管理装置３６は、ステップＳ１の動作を行う。
【０１０６】
以上で説明した実施の形態１によれば、入退室管理装置３６は、携帯端末３７の識別情報と携帯端末３７の所有者の意思を示す意思情報とに基づいて制御信号を生成する。このため、携帯端末３７の所有者の目的に応じて建築物内の装置またはシステムを効率よく制御することができる。
【０１０７】
また、意思情報が今後の予定を示す情報に応じて、記憶装置３５に記憶された情報が更新される。このため、建築物の利用者の在室管理および勤怠管理を適切に行うことができる。
【０１０８】
また、今後の予定を示す情報が帰宅を示す情報の場合、対象の領域の空調装置と照明とがオフになる。このため、無用な電力消費を抑制することができる。
【０１０９】
また、携帯端末３７が通信している無線通信装置が存在する階と行先が存在する階とが異なる場合、携帯端末３７は、当該携帯端末３７の所有者が行先にたどり着くために利用し得るエレベーターの情報を表示する。このため、当該所有者を当該行先に適切に案内することができる。この際、エレベーターの呼びが自動で登録される。このため、エレベーターの運行効率を高めることができる。
【０１１０】
また、携帯端末３７は、地図情報と行先までの経路の情報とを表示する。このため、当該携帯端末３７の所有者を当該行先階に適切に案内することができる。
【０１１１】
また、来訪者の面談者の位置は、記憶装置３５に記憶された情報に基づいて特定される。このため、面談者が存在する場所まで来訪者を適切に案内することができる。
【０１１２】
なお、面談者が所有する携帯端末３７から識別情報を受信している無線通信装置の通信領域を面談者の位置としてもよい。この場合も、面談者が存在する場所まで来訪者を適切に案内することができる。
【０１１３】
また、来訪者は承認されるまで建築物に進入することができない。このため、建築物のセキュリティを維持することができる。
【０１１４】
また、来訪者が承認された場合、当該来訪者の携帯端末３７は、行先または面談者の情報を表示する。例えば、当該来訪者の携帯端末３７は、行先までの地図情報を表示する。このため、適切な場所まで来訪者を案内することができる。
【０１１５】
なお、１つの出入口に対して１つのビーコンのみを設けてもよい。この場合、当該ビーコンが携帯端末３７と通信した際に当該出入口のドアの電気錠を解いてもよい。この場合、携帯端末３７の所有者に特別な操作を強いることなく、当該所有者の通行を許可することができる。
【０１１６】
また、建築物の利用者のスケジュールの情報を記憶装置３５に記憶してもよい。この際、利用者の携帯端末３７に対し、当該利用者のスケジュールの情報に基づいて意思を示す情報の選択肢を決定してもよい。この場合、利用者に対して、より適切な選択肢を提示することができる。
【０１１７】
また、携帯端末３７において行先等の情報を音声で出力してもよい。この場合も、当該携帯端末３７の所有者を適切に案内することができる。
【０１１８】
また、来訪者が建築物から退出した際に来訪者の携帯端末３７から当該建築物の地図情報を削除してもよい。この場合、建築物のセキュリティを維持することができる。
【０１１９】
また、来訪者が建築物に進入してから予め設定された時間が経過した際に来訪者の携帯端末３７から当該建築物の地図情報を削除してもよい。この場合、建築物のセキュリティを維持することができる。
【０１２０】
また、入退室管理装置３６からの制御信号に基づいて来訪者の携帯端末３７から当該建築物の地図情報を削除してもよい。この場合、建築物のセキュリティを維持することができる。
【０１２１】
次に、図１３を用いて、入退室管理装置３６の例を説明する。
図１３はこの発明の実態の形態１における入退室管理システムの入退室管理装置のハードウェア構成図である。
【０１２２】
入退室管理装置３６の各機能は、処理回路により実現し得る。例えば、処理回路は、少なくとも１つのプロセッサ４９ａと少なくとも１つのメモリ４９ｂとを備える。例えば、処理回路は、少なくとも１つの専用のハードウェア５０を備える。
【０１２３】
処理回路が少なくとも１つのプロセッサ４９ａと少なくとも１つのメモリ４９ｂとを備える場合、入退室管理装置３６の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ４９ｂに格納される。少なくとも１つのプロセッサ４９ａは、少なくとも１つのメモリ４９ｂに記憶されたプログラムを読み出して実行することにより、入退室管理装置３６の各機能を実現する。少なくとも１つのプロセッサ４９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ４９ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【０１２４】
処理回路が少なくとも１つの専用のハードウェア５０を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、入退室管理装置３６の各機能は、それぞれ処理回路で実現される。例えば、入退室管理装置３６の各機能は、まとめて処理回路で実現される。
【０１２５】
入退室管理装置３６の各機能について、一部を専用のハードウェア５０で実現し、他部をソフトウェアまたはファームウェアで実現してもよい。例えば、制御信号生成部３６ａの機能については専用のハードウェア５０としての処理回路で実現し、制御信号生成部３６ａの機能以外の機能については少なくとも１つのプロセッサ４９ａが少なくとも１つのメモリ４９ｂに格納されたプログラムを読み出して実行することにより実現してもよい。
【０１２６】
このように、処理回路は、ハードウェア５０、ソフトウェア、ファームウェア、またはこれらの組み合わせで入退室管理装置３６の各機能を実現する。
【産業上の利用可能性】
【０１２７】
以上のように、この発明に係る入退室管理装置は、建築物内の装置またはシステムを効率よく制御するシステムに利用できる。
【符号の説明】
【０１２８】
１  第１領域、  ２  第２領域、  ３  トイレ、  ４  主出入口、  ５  第１出入口、  ６  第２出入口、  ７  主ドア、  ８  第１ドア、  ９  第２ドア、  １０  主電気錠、  １１  第１電気錠、  １２  第２電気錠、  １３  第１空調装置、  １４  第２空調装置、  １５  第１照明、  １６  第２照明、  １７  第１エレベーター、  １８  第２エレベーター、  １９  主外側無線通信装置、  ２０  主内側無線通信装置、  ２１  第１外側無線通信装置、  ２２  第１内側無線通信装置、  ２３  第２外側無線通信装置、  ２４  第２内側無線通信装置、  ２５  第１乗場呼び登録装置、  ２６  第２乗場呼び登録装置、  ２７  第３領域、  ２８  第３出入口、  ２９  第３ドア、  ３０  第３電気錠、  ３１  第３空調装置、  ３２  第３照明、  ３３  第３外側無線通信装置、  ３４  第３内側無線通信装置、  ３５  記憶装置、  ３６  入退室管理装置、  ３６ａ  制御信号生成部、  ３７  携帯端末、  ３７ａ  無線通信部、  ３７ｂ  アプリケーション情報記憶部、  ３７ｃ  識別情報記憶部、  ３７ｄ  表示部、  ３８  ドア用コントローラ、  ３９  空調装置用コントローラ、  ４０  照明用コントローラ、  ４１  第１制御盤、  ４２  第２制御盤、  ４３  群管理盤、  ４４  第１エレベーター用コントローラ、  ４５  第２エレベーター用コントローラ、  ４６  通信装置、  ４７  外部サーバ、  ４８  収集装置、  ４９ａ  プロセッサ、  ４９ｂ  メモリ、  ５０  ハードウェア
【図１】
2019058427.tif 000003
【図２】
2019058427.tif 000004
【図３】
2019058427.tif 000005
【図４】
2019058427.tif 000006
【図５】
2019058427.tif 000007
【図６】
2019058427.tif 000008
【図７】
2019058427.tif 000009
【図８】
2019058427.tif 000010
【図９】
2019058427.tif 000011
【図１０】
2019058427.tif 000012
【図１１】
2019058427.tif 000013
【図１２】
2019058427.tif 000014
【図１３】
2019058427.tif 000015
【国際調査報告】
2019058427.tif 000016
2019058427.tif 000017
2019058427.tif 000018
2019058427.tif 000019